(57)【要約】      （修正有）【課題】縁や隅の部分には塗装出来ず、毛刷毛等を使うため塗装面の違いが出たり塗りムラが生じることを防止する。【解決手段】先端部に小さいローラー６、中央部にメインのローラー２を付けその二つをベルト１で連結する。広い部分はメインローラーで行ない、縁、隅の部分は先端ローラーで行なう。塗料を浸透させる工程ではメインローラーのみを塗料に浸して行ない先端部へはベルトの移動により行なうため、先端部は塗料の着きすぎによる塗装不可部分への付着を防止出来る。又２個のローラー上部の全てとローラー側面は使用上差し支えのない部分はカバー５で覆われ、そのカバーは塗装面の角度に合わせて最適に角度を変えられるため飛散やボタ落ちした塗料を受けとめ塗装不可部分への塗料の付着を防止出来る。【選択図】図１
2006130493.tif 000002
【特許請求の範囲】
【請求項１】
中央部に位置するメインローラーと先端部に位置する先端ローラーをベルトで結び同時に回転する事によりベルト部分で付着部分の面積の大きい塗装を行なう事を特徴とする塗装機である。
【請求項２】
２つのローラーを覆い隠すようにして上部の全てと、メインローラーの側面の中心の心棒のやや下迄と先端ローラーの下部から２ミリ程度迄を結んだ線でカバーの側面を形成した形のカバーで覆われた形を特徴とする塗装機である。
【請求項３】
先端ローラーに巻かれたベルト先端部は隅の部分の塗装に適し、最前部のカバーは塗装不可部分には塗料が付着しないよう隔壁の役目を持たせ、通常の広い部分はメインローラーに巻かれたベルトで行なう。２つのローラーを覆うカバーは塗料の飛散防止の役目を持つと言う事を特徴とする塗装機である。
【発明の詳細な説明】
【発明の詳細な説明】
【技術分野】
【０００１】  本発明は従来のローラー塗装機では不可能であった隅迄の塗装を可能とし、塗料の飛び散り、ボタ落ちを防止する機能を持った塗装機である。
【背景技術】
【０００２】  一般的に塗装工事においては早く奇麗に仕上がるためローラー塗装機が一番多く使用されている。しかし従来型のローラーでは隅まで塗装が出来ないと言う構造的欠陥があった。従って隅の部分は養生をして毛刷毛、コテ刷毛等を使用して塗装されている。しかしローラーと他の刷毛では塗装面の仕上がり具合が違って来るのである。特に塗装面に細かい凹凸のある塗装面ではそれが顕著に現れる。すなわちローラーでの塗装面より刷毛での塗装面は塗料が濃く入るため塗りムラが発生し塗装技術上難しい面がある。【０００３】  ローラーに限らず全ての塗装道具では必ず塗料の飛び散り、ボタ落ちが起きると言う事は宿命である。又塗装不可部分に塗料を付けてはならないと言う事もあり、それらを防ぐためにはかなり大規模な養生を施してから塗装工事に掛かると言うのが一般的である。これらの養生には結構な時間と養生材の費用、又使用後の養生材は多量のゴミになると言う事が従来から行なわれている。
【発明が解決しようとする課題】
【０００４】  種々の塗装道具の内一般的に多く使用されている塗装道具は、それらを塗料を入れた缶、トレー等に浸し塗料を浸透させてから塗装面に塗ると言う工程で行なわれている。従ってそれら塗装道具を塗装面に強く押しつけた場合はボタ落ちが起こり、道具を素早く動かした時には塗料の飛散が起きと言う事は避けられない事実である。
【０００５】  現在もっとも多く使われている塗装道具はローラー塗装機と毛刷毛の組み合わせである。その方法は周辺の隅を除いた大部分をローラーで行ない、隅部分は毛刷毛で行なうと言うのが現在もっとも多く行なわれている塗装方法である。しかし当然塗装道具の違いにより塗装面の仕上がりが違ってくる。毛刷毛はローラーに比較して濃く塗料が入るためローラー部分のみ２度塗りしたり、又技術的にも非常に難しい調節をしながら塗装を行なうか、濃淡の塗装ムラを許容範囲として見逃すかのどれかで行なわれている。
【０００６】  ローラーで塗れる大部分は比較的短時間で塗る事が出来る。しかし面積的には圧倒的に少ない毛刷毛で塗る部分は実際にはローラーの３倍程度の塗り時間が必要である。これに加えて全体的な養生を施す時間、完了後の養生撤去と余分な後始末等の時間が必要で塗装工事は直接塗装している時間と同程度の準備、撤去、後始末時間が必要であり現状の方法ではそれらは避けられない。
【０００７】  本発明は従来から行なわれている塗装行為における大規模な養生、直接塗装行為外での時間的ロス、塗装技術的難易度等の問題を大部分において解決した塗装機である。
【課題を解決するための手段】
【０００８】  まず従来型ローラー塗装機の課題である遠心力による塗料の飛散を解決する手段として、先端部小型ローラーと中央部メインローラーの２個のローラーをベルトで連結し、２個のローラーの上部及び側面部をカバーで覆う構造にした。先端部ローラーは塗装面に密着する部分を２ミリ程度露出させて残り全てはカバーの中に収納されている。メインローラーはローラーの回転軸の下部分からを露出させ残りはカバー内に収納されている。通常従来型ローラーでは使用時には遠心力により全周にわたり飛散がおきるがベルトを使用する事により直進部分では飛散が起きず、飛散した塗料は全てカバー内に収まり外には飛散しない。又カバー内には浸透性に優れたフェルト様の物が全体に張られており一日程度の連続使用では飛散により溜まった塗料は外へ流れ出ない。
【０００９】  次に従来型ローラー塗装機では隅の部分、換気扇その他の付属品の付いた縁の部分は塗装が出来ないと言う課題を解決するための手段として先端部分のローラーの直径を３ミリ以上１０ミリ以内の超小型としそれにベルトを巻いてメインローラーと連結する構造とした。又先端部ローラーは下部２ミリ程度を露出して全周がカバー内に収納されているため隅部分の塗装不可部分はカバー前部が塗装不可部分を遮蔽する役割を果たす。又たびたび塗料に浸して塗装すると言う行為を行なうが浸すのはメインローラー部分のみでありそこからベルトに塗料が付着した部分が先端に送られてくるので余分な塗料が先端部からしみ出ると言う事が起こらない。又ローラー部分と前部カバーの間には僅かな隙間があるが、塗料は実際の塗装面に直接密着している部分より少し大きめに付着すると言う性質があるため、又この付着面は強く塗装面に押しつけるほど広くなるので、この隙間は適度な必要な隙間である。
【発明を実施するための最良の形態】
【００１０】  まず図により順番を追って塗装工事の工程を説明する。まず図１（Ａ）を水平にして１、２、の部分を塗料を入れたトレーに浸して塗料を付ける。次に例えば一番多い壁の部分への塗装においては垂直にして１、の部分を壁面に押しつけ上下に動かして塗装する。この塗装方法は従来型のローラー塗装機と何ら変わらない。この時、飛散防止カバーは３、の調整棒により下部が壁面ぎりぎりの位置にあり２、からの飛散、１、２、からのボタ落ちを防いでいる。【００１１】  次に従来型ローラー塗装機では出来なかった隅部分への塗装であるがそれにはベルトの４、の部分を押しつけて使用する。一般的に塗装不可部分は壁面より飛び出しているため５、のカバーの先端部が飛びだした部分に当たり塗装不可部分に塗料が付着しないように遮蔽板の役割を果たす。これにより養生なしで一つの道具で端から端まで塗装面のすべてをベルトの回転で行なうため塗装面が一定の仕上がりになる。【００１２】  塗装面は主に壁であるが時には天井部分、床部分もある。それらはすべて上記と同じ方法で塗装が可能である。又カバーは状態にあわせて角度を自由に変える事によりどの状態においても飛散、ボタ落ちを防止出来る。
【発明の効果】
【００１３】  以上の説明の通り、従来の塗装道具では必ず必要であった養生を省き、簡単に単一の道具で早く、汚れない、汚さないと言う塗装工事が可能となった。
【図面の簡単な説明】
【図１】  （Ａ）は本発明のベルト塗装機の側面カバーを外した状態の側面図である。
【図２】  （Ｂ）は本発明のベルト塗装機のカバーをはずした状態の上部から見た平面図である。
【符号の説明】
１、ベルト
２、メインローラー
３、カバーの角度調整棒
４、ベルト先端部
５、飛散防止カバー
６、先端部ローラー
７、フエルト
８、柄
【図１】
2006130493.tif 000003
【図２】
2006130493.tif 000004